(57)【要約】【課題】  本発明は、フローセル内に流量測定の機能を設けることにより、測定システムの簡素化及び小型化な近赤外分析計を実現する。【解決手段】  試料が流通されているフローセルに設けられた光学窓に光を入射させ、透過光をスペクトル分析することにより試料を分析する近赤外分析計において、前記試料を流通させるフローセルと、加熱部と、前記光を前記フローセルに入射させる光源部と、前記フローセルからの透過光をスペクトル分析し前記試料を分析すると共に前記加熱部を制御する信号処理・制御部とを具備し、スペクトルの中心波長の変化から前記試料の温度変化を検出し、前記加熱部の加熱開始から前記試料が前記光学窓に到達するまでの時間により前記フローセルに流れている前記試料の流量計測をすることにより、フローセル内に流量測定の機能を設けて、測定システムの簡素化及び小型化な近赤外分析計を実現できるように構成した。【選択図】    図１
2009128175.tif 000002
【特許請求の範囲】
【請求項１】
試料が流通されているフローセルに設けられた光学窓に光を入射させ、透過光をスペクトル分析することにより試料を分析する近赤外分析計において、
前記試料を流通させるフローセルと、
前記光学窓の上流側に配置される加熱部と、
前記光を前記フローセルに入射させる光源部と、
前記フローセルからの透過光をスペクトル分析し前記試料を分析すると共に前記加熱部を制御する信号処理・制御部と
を具備し、
スペクトルの中心波長の変化から前記試料の温度変化を検出し、
前記加熱部の加熱開始から前記試料が前記光学窓に到達するまでの時間により前記フローセルに流れている前記試料の流量計測をすることを特徴とする近赤外分析計。
【請求項２】
前記信号処理・制御部は、前記加熱部を駆動時に発熱させることにより、前記フローセル内の前記試料が温められることを特徴とする請求項１記載の近赤外分析計。
【請求項３】
前記信号処理・制御部は、前記加熱部を一定時間毎に発熱させることを特徴とする請求項１または２記載の近赤外分析計。
【請求項４】
前記信号処理・制御部は、水分の濃度分析を行うことを特徴とする請求項１乃至３いずれかに記載の近赤外分析計。
【請求項５】
試料が流通されているフローセルに設けられた光学窓に光を入射させ、透過光をスペクトル分析することにより試料を分析する近赤外分析計において、
前記試料を流通させるフローセルと、
前記試料の流れに沿って上流側に配置される第１の光学窓及び下流側に配置される第２の光学窓と、
この第１の光学窓と第２の光学窓から等距離になる中間に配置される加熱部と、
前記光を第１の光学窓及び第２の光学窓に入射させる光源部と、
前記第１の光学窓及び第２の光学窓からの透過光をスペクトル分析し前記試料を分析すると共に前記加熱部を制御する信号処理・制御部と
を具備し、
前記第１の光学窓からの透過光のスペクトルと前記第２の光学窓からの透過光のスペクトルの差分により
前記フローセルに流れている前記試料の流量計測をすることを特徴とする近赤外分析計。
【請求項６】
前記信号処理・制御部は、前記加熱部を流量測定の間に発熱させることにより、前記フローセル内の前記試料が温められることを特徴とする請求項５記載の近赤外分析計。
【請求項７】
前記信号処理・制御部は、水分の濃度分析を行うことを特徴とする請求項５または６記載の近赤外分析計。
【発明の詳細な説明】
【技術分野】
【０００１】
本発明は、液体サンプル用近赤外分析計に関する。
【背景技術】
【０００２】
従来の近赤外分析計の一例を示す構成ブロック図を図６に示す。
図６は、フーリエ分光器や光検出器等を包含した変換器６０１と、プローブ６０２と、サンプリング手段６０３と、パーソナルコンピュータ等の制御手段６０４と、上位の制御手段６０５と、光ファイバ６０６と、他流路の試料入力口６０７により構成されている。
また、近赤外分析計６０８は、変換器６０１と、プローブ６０２と、サンプリング手段６０３と、光ファイバ６０６と、他流路の試料入力口６０７により構成されている。
【０００３】
試料は、試料入力口６０７を介してサンプリング手段６０３に供給され、サンプリング手段６０３の出力はプローブ６０２に供給される。
【０００４】
変換器６０１の入出力光は光ファイバ６０６に出入射され、光ファイバ６０６の入出力光はプローブ６０２に出入射される。
【０００５】
また、変換器６０１にはサンプリング手段６０３からの制御信号が接続され、制御手段６０４および６０５と相互に接続される。さらに、サンプリング手段６０３からは、分析可能な試料が流れていることを検知した試料検知信号が変換器６０１に接続される。
【０００６】
次に、図６の近赤外分析計の動作を説明する。
先ず、サンプリング手段６０３から分析可能な試料が流れていることを示す試料検知信号を監視して、分析可能試料が流れている時に分析を開始する。
【０００７】
選択された流路に対応するスペクトル・データを光ファイバ６０６から光検出器やＡ／Ｄ変換器等により取り込む。この時、変換器６０１にはサンプリング手段６０３からどの流路を選択したかを示す流路選択信号が入力されている。
【０００８】
流路選択信号により、選択された流路を特定し、その中の分析すべき成分に対応する検量線をリストから求め、この検量線に基づき性状値を演算する。
リストとは、変換器６０１がある流路と分析する性状値とに対応する検量線を割り当てて予め作成するものである。
【０００９】
求めた性状値をアナログ信号や通信信号等の出力信号に変換して制御手段６０５等に出力する。
【００１０】
この結果、予め作成した流路及び分析成分に対応する検量線のリストを用いることにより、多流路の構成をしても１つの流路の１つの成分に関しては１つの検量線による演算が行われるだけであるので、処理時間が短くなる。
【００１１】
図６の近赤外分析計は、変換器６０１に流路と分析する性状値に対応する検量線を割り当てて、予めリストを作成することにより、複数チャネル、複数流路に容易に対応できるようになる。
【００１２】
次に、従来の近赤外分析計の一例を示す構成図を図７に示す。
図７の近赤外分析計において、流路７０１と、流量検出部７０３と、流量信号処理・制御部７０４と、光源部７０５と、フローセル７０７と、分光部７０９と、信号処理・制御部７１０とから構成される。
【００１３】
次に、図７の近赤外分析計の動作を説明する。
流路７０１のサンプル流路方向７０２にサンプルを流し、どのタイミングでサンプルを検出したらよいか等の指示を流量信号処理・制御部７０４から流量検出部７０３に送信し、送信されると流量検出部７０３で流路７０１内の液体流速を検出する。液体流速を検出後、光源部７０５からの光を第１信号光伝達手段７０６により流路に設置されたフローセル７０７に入射し、流路７０１を流れてきた液体サンプルを透過させる。第２信号光伝達手段７０８により、この透過光を分光部７０９により分光し、信号処理・制御部７１０によりスペクトル分析を行う。
【００１４】
図７の近赤外分析計は、液体が流れる流路７０１（パイプ等）に、流路測定用セルである流量検出部７０３と近赤外分析用セルであるフローセル７０７がそれぞれ構成され、流量計測と近赤外分析法による成分分析を行なうことができる。
【００１５】
【特許文献１】特開平９−２８８０５５号公報
【発明の開示】
【発明が解決しようとする課題】
【００１６】
流量計測と近赤外分析法による成分分析を行うため、流量計測用セルと近赤外分析用セルの２つが必要となり、近赤外分析計の構成が大きくなるという問題がある。
【００１７】
そこで、本発明は測定システムの簡素化及び小型化な近赤外分析計を提供することを目的とする。
【課題を解決するための手段】
【００１８】
上記のような目的を達成するために本発明は、請求項１に示すように、試料が流通されているフローセルに設けられた光学窓に光を入射させ、透過光をスペクトル分析することにより試料を分析する近赤外分析計において、前記試料を流通させるフローセルと、前記光学窓の上流側に配置される加熱部と、前記光を前記フローセルに入射させる光源部と、前記フローセルからの透過光をスペクトル分析し前記試料を分析すると共に前記加熱部を制御する信号処理・制御部とを具備し、スペクトルの中心波長の変化から前記試料の温度変化を検出し、前記加熱部の加熱開始から前記試料が前記光学窓に到達するまでの時間により前記フローセルに流れている前記試料の流量計測をすることを特徴とする。
【００１９】
また、請求項２に示すように、請求項１記載の近赤外分析光において、前記信号処理・制御部は、前記加熱部を駆動時に発熱させることにより、前記フローセル内の前記試料が温められることを特徴とする。
【００２０】
また、請求項３に示すように、請求項１記載の近赤外分析光において、前記信号処理・制御部は、前記加熱部を一定時間毎に発熱させることを特徴とする。
【００２１】
また、請求項４に示すように、請求項１乃至３いずれかに記載の近赤外分析光において、前記信号処理・制御部は、水分の濃度分析を行うことを特徴とする。
【００２２】
また、上記のような目的を達成するために本発明は、請求項５に示すように、試料が流通されているフローセルに設けられた光学窓に光を入射させ、透過光をスペクトル分析することにより試料を分析する近赤外分析計において、前記試料を流通させるフローセルと、前記試料の流れに沿って上流側に配置される第１の光学窓及び下流側に配置される第２の光学窓と、この第１の光学窓と第２の光学窓から等距離になる中間に配置される加熱部と、前記光を第１の光学窓及び第２の光学窓に入射させる光源部と、前記第１の光学窓及び第２の光学窓からの透過光をスペクトル分析し前記試料を分析すると共に前記加熱部を制御する信号処理・制御部とを具備し、前記第１の光学窓からの透過光のスペクトルと前記第２の光学窓からの透過光のスペクトルの差分により前記フローセルに流れている前記試料の流量計測をすることを特徴とする。
【００２３】
また、請求項６に示すように、請求項５記載の近赤外分析光において、前記信号処理・制御部は、前記加熱部を流量測定の間に発熱させることにより、前記フローセル内の前記試料が温められることを特徴とする。
【００２４】
また、請求項７に示すように、請求項５または６記載の近赤外分析光において、前記信号処理・制御部は、水分の濃度分析を行うことを特徴とする。
【発明の効果】
【００２５】
本願において開示される発明のうち代表的なものによって得られる効果を説明すれば下記の通りである。
【００２６】
本発明の近赤外分析計は、流量測定用セル及び近赤外分析用セルをそれぞれ個々に必要としないため、測定システムの小型化及び測定系簡素化によるコスト低減を実現することができる。
【発明を実施するための最良の形態】
【００２７】
以下、図面を用いて、本発明の近赤外分析計を説明する。
【実施例１】
【００２８】
図１は、本発明の近赤外分析計の一実施例を示す構造図である。
【００２９】
図１に示すように、近赤外分析計において、試料を流す配管１と、試料を流通させるフローセル１１と、フローセル１１に光を入射させる光源３と、フローセル１１に設けられている入射側光学窓５及び出射側光学窓１０と、フローセル１１内の流路に近接すると共に入射側光学窓５及び出射側光学窓１０の上流側に配置される加熱部６と、分光部８ａと、フローセル１１からの透過光をスペクトル分析し試料を分析すると共に加熱部６を制御する信号処理・制御部９から構成される。
【００３０】
図２は、図１の近赤外分析計のフローセル１１部分の拡大図である。
【００３１】
図１及び図２の動作を説明する。
【００３２】
先ず、信号処理・制御部９は、加熱部６を一定時間毎に発熱させる。
【００３３】
また、信号処理・制御部９は、加熱部６を駆動時に発熱させることにより、フローセル１１内の試料が温められる。
【００３４】
流量測定は、信号処理・制御部９から分光部８ａに流量測定をせよという命令信号が送信される。分光部８ａに命令信号が送信されると、加熱部６により温めていない試料（以下、液体サンプルとする）のスペクトルを測定する。
【００３５】
スペクトル測定には、加熱部６により温めていない液体サンプルのスペクトルを測定する場合及び加熱部６により温められた液体サンプルのスペクトルを測定する場合がある。
【００３６】
加熱部６により温めていない液体サンプルのスペクトルを測定する場合、配管１に液体サンプルをサンプル流路方向２に流し、信号処理・制御部９から分光部８ａに流量測定をせよという命令信号が送信され、第１信号光伝達手段４により光源３からフローセル１１に設けられている入射側光学窓５に光が入射されることにより、フローセル１１の流路１３を流れている液体サンプルを透過し、第２信号光伝達手段７により透過した光が出射側光学窓１０から出射される透過光を分光器８ａ及び信号処理・制御部９によりスペクトル分析をする。
【００３７】
一方、加熱部６により温められた液体サンプルのスペクトルを測定する場合、配管１に液体サンプルをサンプル流路方向２に流し、信号処理・制御部９から分光部８ａに流量測定をせよという命令信号が送信され、フローセル１１に近接されている加熱部６が発熱を開始すると、熱目印１２がフローセル１１内の流路１３に流れはじめ、第１信号光伝達手段４により光源３からフローセル１１に設けられている入射側光学窓５に光が入射されることにより、液体サンプルが透過され、第２信号光伝達手段７により透過された光が出射側光学窓１０から出射され、分光器８ａ及び信号処理・制御部９によりスペクトル分析をする。
【００３８】
流量測定について説明する。
【００３９】
まず、信号処理・制御部９から分光部８ａに流量測定をせよという命令が送信される。分光部８ａに送信されると、加熱部６により温められていない液体サンプルのスペクトルを測定する。
【００４０】
次に、測定したスペクトルデータにより、温度依存性の無い吸収波長を基準点として、水分の特異吸収中心波長と温度依存性の無い吸収波長との差を求める。この求めたデータを差分データ１とする。
【００４１】
信号処理・制御部９から加熱部６に液体サンプルを温めよという命令信号（以下、パルス駆動という）が送信される。
【００４２】
加熱部６は、信号処理・制御部９から送信される命令信号によりパルス駆動され、液体サンプルを温め始める。温められた液体サンプルは、熱目印１２として、フローセンサ１１内の流路１３に流れはじめる。ここで、熱目印１２とは、流れている液体サンプルの熱の高さを表しているものをいう。
【００４３】
そして、液体サンプルのスペクトル測定を等間隔で行う。
また、等間隔でスペクトル測定を行う場合にも、温度依存性の無い吸収波長を基準点として、水分の特異吸収中心波長と温度依存性の無い吸収波長との差を求める。この求めたデータを差分データ２とする。
【００４４】
同時に、差分データ１と差分データ２との比較を行う。
【００４５】
熱目印１２がフローセル１１に設けられた入射側光学窓５及び出射側光学窓１０に到達するまでの間は、差分データ１、２は同じ値を示す。
【００４６】
次に、熱目印１２が加熱部６から流れてきてフローセル１１の入射側光学窓５及び出射側光学窓１０に達する。
【００４７】
熱目印１２が入射側光学窓５及び出射側光学窓１０に達すると、熱目印１２が入射側光学窓５及び出射側光学窓１０に達する前の波長がシフトされ、熱目印１２が入射側光学窓５及び出射側光学窓１０に達した時の波長に変わる。
つまり、熱目印１２が入射側光学窓５及び出射側光学窓１０に達した時のスペクトルが観測される。
【００４８】
この波長の変化を信号処理・制御部９が受信すると、スペクトル測定が終了する。
つまり、スペクトルは、分光部８ａ及び信号処理・制御部９により測定される。
【００４９】
波長シフトしたスペクトルが観測された場合も、温度依存性の無い吸収波長を基準点として、水分の特異吸収中心波長と温度依存性の無い吸収波長との差を求める。この求めた差分データを差分データ３とする。
【００５０】
また、差分データ１が観測された時間（以下、観測時間１とする）と差分データ２が観測された時間（以下、観測時間２とする）が求まる。
つまり、スペクトル測定の開始から終了までの時間を把握する。
【００５１】
そして、観測時間１、２と加熱部６から入射側光学窓５及び出射側光学窓１０までの距離により、流量を求めることができる。
【００５２】
すなわち、スペクトルの中心波長の変化から試料の温度変化を検出し、加熱部６の加熱開始から試料が入射側光学窓５及び出射側光学窓１０に到達するまでの時間によりフローセル１１に流れている試料の流量計測を行うことができる。
【００５３】
よって、図１及び図２における近赤外分析計は、スペクトル分析及び流量測定を行なうことができる。
【００５４】
図３は、通常時（加熱部６により流路１３を温めていない場合）吸収ピークスペクトル１４と、熱目印１２通過時(加熱部６により流路１３を温めた場合)吸収ピークスペクトル１５を表すグラフである。
【００５５】
図３により、各温度での中心吸収周波数がわかることにより、温度を測定することができる。
つまり、温度計を用いなくても、温度を測定することができる。
【００５６】
本発明の近赤外分析計では、流量計測用セルである流路検出部及び流量信号処理・制御部を無くしても、流量測定及び近赤外分光の成分測定を行なうことができる。
【００５７】
つまり、液体サンプルが流れる配管１（パイプ等）に、近赤外分析用セルであるフローセル１１が構成され、フローセル１１で流量計測を行なうことができる。また、加熱部６以外の構成部により近赤外分光の成分測定を行なうことができる。
【００５８】
つまり、従来に比べて測定システムを小型化にすることができる。
【００５９】
また、フローセル１１内に配管１に近接する加熱部６を設け、流量計測用セルである流路検出部及び流量信号処理・制御部を取り除いたことにより、測定系の簡素化をすることができる。
【００６０】
さらに、測定システムの小型化及び測定系の簡素化を図ることにより、コストの低減をすることができる。
【実施例２】
【００６１】
図４は、本発明の近赤外分析計の一実施例を示すフローセル１１部分の拡大図である。
図４に示すように、近赤外分析計は、フローセル１１部分以外について、図１の近赤外分析計と同様の構成である。図４は、図１のフローセル１１部分の拡大図である。
【００６２】
図４において、フローセル１１は、試料の流れに沿って上流側に配置される第１の光学窓及び下流側に配置される第２の光学窓と、フローセル１１に近接されている加熱部６から構成される。
【００６３】
また、加熱部６は、第１の光学窓と第２の光学窓から等距離になる中間に配置される。
【００６４】
また、上流入射側光学窓１７及び上流出射側光学窓１８を第１の光学窓とする。
【００６５】
下流入射側光学窓２２及び下流出射側光学窓２３を第２の光学窓とする。
【００６６】
図４の動作について説明する。
上流第１信号光伝達手段１６により光源３から光が入射されてスペクトル分析をする場合、試料（以下、液体サンプルとする）は、配管１にサンプル流路方向２に流され、フローセル１１内の流路１３に流される。投入された液体サンプルは、上流第１信号光伝達手段１６により光源３からフローセル１１に設けられた上流入射側光学窓１７に光が入射され、入射された光が上流出射側光学窓１８に到達すると、サンプルの波長が変わる。この波長が変わったことを信号処理・制御部９が検知すると、分光部８ａによりこの波長を分光してスペクトルを分析し試料を分析する。
【００６７】
同様に、下流第１信号光伝達手段２１により光源３から光が入射されてスペクトル分析をする場合、液体サンプルは、配管１にサンプル流路方向２に流され、フローセル１１内の流路１３に流される。上流入射及び出射側光学窓１７、１８の間を通過し、下流入射及び出射側光学窓２２、２３の間にくると、下流第１信号光伝達手段２１により光源３からフローセル１１に設けられた下流入射側光学窓２２に光が入射され、入射された光が下流出射側光学窓２３に到達すると、サンプルの波長が変わる。この波長が変わったことを信号処理・制御部９が検知すると、分光部８ａによりこの波長を分光してスペクトルを分析し試料を分析する。
【００６８】
次に、流量測定の方法について説明する。
【００６９】
信号処理・制御部が加熱部を流量測定の間に発熱させることにより、フローセル内の試料は温められる。
【００７０】
フローセル１１内の流路１３に流れがない場合、フローセル１１内の流路１３に投入された液体サンプルがフローセル１１内の流路１３に停滞するため、加熱部６により温めた液体サンプルは、上流入射側光学窓１７と上流出射側光学窓１８との間と、下流入射側光学窓２２と下流出射側光学窓２３との間での温度は一定である。つまり、温度の分布は、温度分布２０のように加熱部６の直下が最も温度が高く、加熱部６から距離が遠くなる毎に温度が低くなる。
【００７１】
一方、フローセル１１内の流路１３に流れがある場合、フローセル１１内の流路１３に投入された液体サンプルがフローセル１１内の流路１３中の上流入射側光学窓１７と上流出射側光学窓１８との間を通り、加熱部６により液体サンプルを温め、温まった液体サンプルが下流入射側光学窓２２と下流出射側光学窓２３との間を通ることにより、上流出射側光学窓１８からの透過光のスペクトルと下流出射側光学窓２３からの透過光のスペクトルが異なる。
【００７２】
つまり、フローセル１１内の流路１３に流れがある場合は、上流出射側光学窓１８からの透過光のスペクトルと下流出射側光学窓２３からの透過光のスペクトルの差分によりフローセルに流れている試料の流量を計測することができる。
【００７３】
また、温度の分布は、温度分布２５のようになり、温度分布２０とは異なる分布になる。
【００７４】
また、図４の近赤外分析計は、液体の流れる配管１（パイプ等）に、近赤外分析用セルであるフローセル１１が構成され、フローセル１１で流量計測をすることができる。
そして、図４の近赤外分析計は、フローセル１１の加熱部６以外の構成部において、近赤外分析法による成分分析を行なうことができる。
【実施例３】
【００７５】
図５は、本発明の近赤外分析計の一実施例を示す構造図である。
また、図５は、図１の近赤外分析計の構成要件と同様である。
【００７６】
図５が図１と異なる点は、分光部８ｂに水分特異吸収波長のフィルタを用いると共に水分濃度のスペクトル分析と流量計測を行う点の２点である。
【００７７】
つまり、水分濃度のスペクトル分析及び水分のみの流量計測をすることに特化した近赤外分析計である。
【００７８】
また、本発明の近赤外分析計では、流量計測用セルである流路検出部及び流量信号処理・制御部を無くしても、流量測定及び近赤外分光の成分測定を行なうことができる。
【００７９】
すなわち、図１の近赤外分析計と同様、液体の流れる配管１（パイプ等）に、近赤外分析用セルであるフローセル１１が構成され、フローセル１１で流量計測及び近赤外分光法による成分分析を行なうことができる。
【００８０】
よって、従来に比べて測定システムを小型化にすることができる。
【００８１】
また、フローセル１１内に配管１に近接する加熱部６を設け、流量計測用セルである流路検出部及び流量信号処理・制御部を取り除いたことにより、測定系の簡素化をすることができる。
【００８２】
即ち、測定システムの小型化及び測定系の簡素化を図ることにより、コストの低減をすることができる。
【００８３】
さらに、図５の近赤外分析計は、水分のみの波長を分析することに特化したことにより、様々な種類の波長を分析することが可能なフィルタを搭載する図１の分光部８ａと特定の波長を分析する専用のフィルタを搭載する図５の分光部８ｂとを比較すると、図５の分光部８ｂの方がフィルタを沢山搭載しないため、コストの低減になる。
【００８４】
また、流量測定方法は、実施例１及び実施例２の方法のどちらの方法でも流量を測定することができる。
【００８５】
なお、実施例１及び実施例２は、流量計測方法が異なる。実施例１では時間を管理することにより流速を測定しているのに対し、実施例２では温度分布を管理することにより流速を測定している。
【００８６】
実施例１、２と実施例３は、分析の対象及び分析の種類が異なる。実施例１及び実施例２では様々な種類の波長を分析するのに対して、実施例３ではある特定の波長について濃度分析をする。
【図面の簡単な説明】
【００８７】
【図１】図１は本発明の一実施例を示す構造図である。
【図２】図２は本発明の一実施例を示す図１のフローセル部分の拡大図である。
【図３】図３は本発明の一実施例を示す図１の近赤外吸収スペクトルに対する温度影響を表すグラフである。
【図４】図４は本発明の他の実施例を示すフローセル部分の拡大図である。
【図５】図５は従来の一実施例を示す構成図である。
【図６】図６は従来の一実施例を示す構成ブロック図である。
【図７】図７は従来の一実施例を示す構成図である。
【符号の説明】
【００８８】
１          配管
２          サンプル流路方向
３          光源
４          第１信号光伝達手段
５          入射側光学窓
６          加熱部
７          第２信号光伝達手段
８ａ        分光部
８ｂ        分光部
９                  信号処理・制御部
１０                  出射側光学窓
１１        フローセル
１２        熱目印
１３        流路
１４        通常時吸収ピークスペクトル
１５        熱目印通過時吸収ピークスペクトル
１６        上流第１信号光伝達手段
１７        上流入射側光学窓
１８        上流出射側光学窓
１９        上流第２信号光伝達手段
２０        温度分布（流れなし）
２１                  下流第１信号光伝達手段
２２                  下流入射側光学窓
２３        下流出射側光学窓
２４        下流第２信号光伝達手段
２５        温度分布（流れあり）
６０１      変換器
６０２      プローブ
６０３      サンプリング手段
６０４      制御手段
６０５      制御手段
６０６      光ファイバ
６０７      他流路の試料入力口
６０８      近赤外分析計
７０１      流路
７０２      サンプル流量方向
７０３      流量検出部
７０４      流量信号処理・制御部
７０５      光源部
７０６      第１信号光伝達手段
７０７      フローセル
７０８      第２信号光伝達手段
７０９      分光部
７１０      信号処理・制御部
【図１】
2009128175.tif 000003
【図２】
2009128175.tif 000004
【図３】
2009128175.tif 000005
【図４】
2009128175.tif 000006
【図５】
2009128175.tif 000007
【図６】
2009128175.tif 000008
【図７】
2009128175.tif 000009